【手続補正書】
【提出日】平成24年2月28日(2012.2.28)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報の可変表示を行い表示結果を導出表示する複数の可変表示部を有する可変表示装置を備え、前記可変表示装置の前記識別情報の表示結果が予め定められた特定表示結果となったときに、遊技者にとって有利な特定遊技状態に制御する遊技機であって、
前記特定遊技状態に制御するか否かを前記表示結果が導出表示される以前に決定する事前決定手段と、
前記事前決定手段の決定結果に基づいて、前記可変表示装置における識別情報の可変表示パターンを決定する可変表示パターン決定手段と、
前記識別情報の可変表示と並行して実行可能な複数段階のステップからなるステップアップ予告演出の種別を複数種類から決定するステップアップ予告演出決定手段と、
前記可変表示パターン決定手段が決定した可変表示パターンに基づいて、前記可変表示装置の識別情報の可変表示を行い表示結果を導出表示させ、また前記ステップアップ予告演出決定手段が決定したステップアップ予告演出を実行させる表示制御手段と、を備え、
前記可変表示パターン決定手段は、前記識別情報の可変表示を開始した後表示結果を導出表示する以前に全ての可変表示部の識別情報の仮停止表示を行い再び可変表示を開始する擬似連変動を１回または複数回実行する擬似連可変表示パターンに決定可能であって、
前記可変表示パターン決定手段は、前記事前決定手段により前記特定遊技状態に制御する旨の決定がなされたときに、前記特定遊技状態に制御しない旨の決定がなされたときよりも、前記擬似連変動の実行回数がより多い擬似連可変表示パターンに高確率で決定されるように割り振られている決定用データを用いて前記可変表示パターンを決定し、
前記ステップアップ予告演出決定手段は、前記事前決定手段により前記特定遊技状態に制御する旨の決定がなされたときに、前記特定遊技状態に制御しない旨の決定がなされたときよりも、ステップ数がより多いステップアップ予告演出に高確率で決定されるように割り振られている決定用データを用いて前記ステップアップ予告演出の種別を決定し、
前記擬似連変動の実行回数を報知する擬似連変動回数報知手段と、
前記ステップアップ予告演出のステップ数を報知するステップ数報知手段と、をさらに備える
ことを特徴とする遊技機。
【請求項２】
始動条件が成立した後に開始条件が成立したことに基づいて各々が識別可能な複数種類の識別情報の可変表示を行い表示結果を導出表示する複数の可変表示部を有する可変表示装置を備え、前記可変表示装置の前記識別情報の表示結果が予め定められた特定表示結果となったときに、遊技者にとって有利な特定遊技状態に制御する遊技機であって、
前記始動条件が成立したことに基づいて、前記特定遊技状態に制御するか否かを前記表示結果が導出表示される以前に決定する事前決定手段と、
成立した始動条件の数であって未だ開始条件が成立していない保留数を所定数を限度として記憶する保留記憶手段と、
前記保留記憶手段が記憶している保留数分の保留表示を行う保留表示手段と、
前記事前決定手段の決定結果に基づいて、前記可変表示装置における識別情報の可変表示パターンを決定する可変表示パターン決定手段と、
前記識別情報の可変表示と並行して実行可能な複数段階のステップからなるステップアップ予告演出の種別を複数種類から決定するステップアップ予告演出決定手段と、
前記可変表示パターン決定手段が決定した可変表示パターンに基づいて、前記可変表示装置の識別情報の可変表示を行い表示結果を導出表示させ、また前記ステップアップ予告演出決定手段が決定したステップアップ予告演出を実行させる表示制御手段と、を備え、
前記ステップアップ予告演出決定手段は、前記事前決定手段により前記特定遊技状態に制御する旨の決定がなされたときに、前記特定遊技状態に制御しない旨の決定がなされたときよりも、ステップ数がより多いステップアップ予告演出に高確率で決定されるように割り振られている決定用データを用いて前記ステップアップ予告演出の種別を決定し、
前記保留記憶手段の記憶内容により所定回数後の可変表示にて特定表示結果が表示される場合に可変表示の実行回数を報知する変動回数報知手段と、
前記ステップアップ予告演出のステップ数を報知するステップ数報知手段と、をさらに備える
ことを特徴とする遊技機。
【手続補正２】
【補正対象書類名】明細書
【補正対象項目名】０００６
【補正方法】変更
【補正の内容】
【０００６】
上記目的を達成するため、本願の請求項１に記載の遊技機は、各々が識別可能な複数種類の識別情報（例えば飾り図柄）の可変表示を行い表示結果を導出表示する複数の可変表示部を有する可変表示装置（例えば画像表示装置５）を備え、前記可変表示装置の前記識別情報の表示結果が予め定められた特定表示結果（例えば大当り組合せの最終停止図柄）となったときに、遊技者にとって有利な特定遊技状態（例えば大当り遊技状態）に制御する遊技機（例えばパチンコ遊技機１）であって、前記特定遊技状態に制御するか否かを前記表示結果が導出表示される以前に決定する事前決定手段（例えばＣＰＵ１０３がステップＳ２３８及びＳ２３９の処理、あるいは、ステップＳ２４５及びＳ２４６の処理を実行する部分）と、前記事前決定手段の決定結果に基づいて、前記可変表示装置における識別情報の可変表示パターンを決定する可変表示パターン決定手段（例えばＣＰＵ１０３がステップＳ２６１〜Ｓ２７６の処理を実行する部分）と、前記識別情報の可変表示と並行して実行可能な複数段階のステップからなるステップアップ予告演出の種別を複数種類から決定するステップアップ予告演出決定手段（例えば演出制御用ＣＰＵ１２０がステップＳ５９３の処理で予告ＣＹ２の予告パターン種別に決定した場合に、ステップＳ５９５、Ｓ５９６の処理を実行する部分）と、前記可変表示パターン決定手段が決定した可変表示パターンに基づいて、前記可変表示装置の識別情報の可変表示を行い表示結果を導出表示させ、また前記ステップアップ予告演出決定手段が決定したステップアップ予告演出を実行させる表示制御手段（例えば演出制御ＣＰＵ１２０がステップＳ１６２の処理を実行する部分）と、を備え、前記可変表示パターン決定手段は、前記識別情報の可変表示を開始した後表示結果を導出表示する以前に全ての可変表示部の識別情報の仮停止表示を行い再び可変表示を開始する擬似連変動を１回または複数回実行する擬似連可変表示パターン（例えば図６、図７において「擬似連」の特定演出を伴う変動パターン（非リーチＰＡ１−５、スーパーＰＡ３−４、スーパーＰＡ３−５、スーパーＰＡ３−９、スーパーＰＡ３−１０、スーパーＰＢ３−４、スーパーＰＢ３−５、スーパーＰＡ４−４、スーパーＰＡ４−５、スーパーＰＡ４−９、スーパーＰＡ４−１０、スーパーＰＡ５−４、スーパーＰＡ５−５、スーパーＰＢ４−４、スーパーＰＢ４−５、スーパーＰＢ５−４、スーパーＰＢ５−５、スーパーＰＦ１−１、特殊ＰＧ１−３））に決定可能であって、前記可変表示パターン決定手段は、前記事前決定手段により前記特定遊技状態に制御する旨の決定がなされたときに、前記特定遊技状態に制御しない旨の決定がなされたときよりも、前記擬似連変動の実行回数がより多い擬似連可変表示パターンに高確率で決定されるように割り振られている決定用データ（例えば当り変動パターン判定テーブル１３７Ａ〜１３７Ｃ、ハズレ変動パターン判定テーブル１３８Ａ、１３８Ｂ）を用いて前記可変表示パターンを決定し、前記ステップアップ予告演出決定手段は、前記事前決定手段により前記特定遊技状態に制御する旨の決定がなされたときに、前記特定遊技状態に制御しない旨の決定がなされたときよりも、ステップ数がより多いステップアップ予告演出に高確率で決定されるように割り振られている決定用データ（例えば予告パターン判定テーブル１７１Ｂ）を用いて前記ステップアップ予告演出の種別を決定し、前記擬似連変動の実行回数を報知する擬似連変動回数報知手段（例えば演出制御ＣＰＵ１２０が擬似連変動を実行する図柄変動制御パターンに基づきステップＳ１６２の処理で回数報知装置１０、第１回数報知装置１０Ａ、第２回数報知装置１０Ｂを点灯させる部分）と、前記ステップアップ予告演出のステップ数を報知するステップ数報知手段（例えば演出制御ＣＰＵ１２０が予告ＣＹＰ２−１〜ＣＹＰ２−６の予告演出制御パターンに基づき回数報知装置１０、第１回数報知装置１０Ａ、第２回数報知装置１０Ｂを点灯させる部分）と、をさらに備える。これにより、ステップアップ予告演出のステップ数だけでなく、擬似連変動の実行回数も報知されるので、遊技者はいずれの演出が発生しても期待度の認識が可能となり、遊技の興趣が向上する。
【手続補正３】
【補正対象書類名】明細書
【補正対象項目名】０００７
【補正方法】変更
【補正の内容】
【０００７】
前記擬似連変動回数報知手段と、前記ステップ数報知手段と、は同一の報知装置（例えば回数報知装置１０）により、前記擬似連変動の実行回数と前記ステップアップ予告演出のステップ数とを加算して報知する（例えば図７３に示すように擬似連変動の実行回数とステップアップ予告演出のステップ数とを加算して報知する）ようにしてもよい。このように、加算して報知することで信頼度の高さを効果的に報知可能となる。
【手続補正４】
【補正対象書類名】明細書
【補正対象項目名】０００８
【補正方法】変更
【補正の内容】
【０００８】
前記擬似連変動回数報知手段は、前記擬似連変動の実行回数を第１報知装置（例えば図７５に示す第１回数報知装置１０Ａ）により報知し、前記ステップ数報知手段は、前記ステップアップ予告演出のステップ数を第２報知装置（例えば図７４に示す第２回数報知装置１０Ｂ）により報知するようにしてもよい。このように、別々の報知装置により報知することで遊技者がそれぞれの演出の信頼度を認識可能となる。
【手続補正５】
【補正対象書類名】明細書
【補正対象項目名】０００９
【補正方法】変更
【補正の内容】
【０００９】
前記ステップ数報知手段は、前記第１報知装置により（例えば図７９（Ｂ）の報知態様判定テーブル２０２における「法則崩れ」の報知態様で）前記ステップアップ予告演出のステップ数を報知可能であり、前記擬似連変動回数報知手段は、前記第２報知装置により（例えば図７９（Ａ）の報知態様判定テーブル２０１における「法則崩れ」の報知態様で）前記擬似連変動の実行回数を報知可能であり、前記第１報知装置により前記ステップアップ予告演出のステップ数が報知された場合に、前記第２報知装置により前記ステップアップ予告演出のステップ数が報知された場合よりも前記特定遊技状態となる割合が高く（例えば報知態様判定テーブル２０２において大当り時にハズレ時よりも「法則崩れ」の決定割合が高く）、前記第２報知装置により前記擬似連変動の実行回数が報知された場合、前記第１報知装置により前記擬似連変動の実行回数が報知された場合よりも前記特定遊技状態となる割合が高い（例えば報知態様判定テーブル２０１において大当り時にハズレ時よりも「法則崩れ」の決定割合が高い）ようにしてもよい。これにより、意外性のある演出が実行可能になり、遊技の興趣が向上する。
【手続補正６】
【補正対象書類名】明細書
【補正対象項目名】００１０
【補正方法】変更
【補正の内容】
【００１０】
前記擬似連変動回数報知手段は、複数の報知装置により（例えば図７９（Ａ）の報知態様判定テーブル２０１における「重複報知」の報知態様で）前記擬似連変動の実行回数を報知可能であり、前記複数の報知装置により重複して前記擬似連変動の実行回数が報知された場合、一の報知装置により前記擬似連変動の実行回数が報知された場合よりも前記特定遊技状態となる割合が高い（例えば報知態様判定テーブル２０１において大当り時にハズレ時よりも「重複報知」の決定割合が高い）ようにしてもよい。これにより、擬似連変動の報知態様が多彩になり、遊技の興趣が向上する。
【手続補正７】
【補正対象書類名】明細書
【補正対象項目名】００１１
【補正方法】変更
【補正の内容】
【００１１】
前記事前決定手段によって前記特定遊技状態に制御しない旨の決定がなされたことに基づいて、前記識別情報の可変表示状態を所定のリーチ状態とするか否かを決定するリーチ決定手段（例えばＣＰＵ１０３がステップＳ２６５〜Ｓ２６８の処理を実行する部分）をさらに備え、前記可変表示パターン決定手段は、前記リーチ決定手段によって前記リーチ状態としない旨の決定がなされたときにも擬似連可変表示パターン（例えば図６における非リーチＰＡ１−５の変動パターン）に決定可能であるようにしてもよい。これにより、識別情報の可変表示状態がリーチ状態とならない場合でも、擬似連変動を実行できるようにして多様な演出が可能となり、遊技の興趣が向上する。
【手続補正８】
【補正対象書類名】明細書
【補正対象項目名】００１２
【補正方法】変更
【補正の内容】
【００１２】
前記可変表示パターン決定手段は、擬似連変動として、前記全ての可変表示部の識別情報を仮停止表示させた後仮停止した可変表示部の識別情報のうち一部を変更し、その後に再び可変表示を開始する擬似連変動を実行する擬似連変動パターン（例えば図７７に示すよう滑り擬似連演出を実行する変動パターン）に決定可能であるようにしてもよい。これにより、仮停止している一部の識別情報が再変動したことで、遊技者は擬似連変動が継続することを認識でき、興趣の向上が図れる。
【手続補正９】
【補正対象書類名】明細書
【補正対象項目名】００１３
【補正方法】変更
【補正の内容】
【００１３】
可変表示の始動条件は成立したが未だ開始条件が成立していない保留数を所定数を限度として記憶する保留記憶手段（例えば、ＣＰＵ１０３がステップＳ２０２、Ｓ２０３、Ｓ２１１、Ｓ２１２の処理を実行する部分）と、前記保留記憶手段が記憶している保留数分の保留表示を行う保留表示手段（例えば画像表示装置５の始動入賞記憶表示エリア５Ｈ）と、前記保留表示手段における前記保留表示の表示態様を制御する保留表示制御手段（例えば演出制御ＣＰＵ１２０がステップＳ１６２の処理で始動入賞記憶表示エリア５Ｈの表示態様を制御する部分）と、をさらに備え、前記保留表示制御手段は、前記保留表示を第１表示態様で前記保留表示手段に表示させる第１表示態様制御手段（例えば図７８（Ａ）に示すように保留記憶表示する部分）と、前記識別情報の可変表示の開始に対応して、いずれか１つの前記保留表示の表示態様を前記第１表示態様から該第１表示態様とは異なる第２表示態様に変更した後、該保留表示を消去する保留表示消去制御手段（例えば図７８（Ｂ）、（Ｃ）に示すように保留記憶表示を縮小表示した後に消去する部分）と、前記擬似連可変表示パターンに基づく可変表示における仮停止表示後に再び可変表示を開始するときに、いずれか１つの前記保留表示の表示態様を前記第１表示態様から前記第２表示態様に変更した後前記第１表示態様に戻す第２表示態様制御手段（例えば図７８（Ｈ）、（Ｉ）に示すように保留記憶表示を縮小表示した後に通常の大きさに戻す部分）と、を含むようにしてもよい。これにより、保留表示手段における所定の表示態様による表示演出から元の表示態様に戻る際に、擬似連変動がなされていることを遊技者に気付かせることができ、擬似連変動による演出効果が向上し、遊技の興趣が向上する。
【手続補正１０】
【補正対象書類名】明細書
【補正対象項目名】００１４
【補正方法】変更
【補正の内容】
【００１４】
前記報知装置により、前記擬似連変動または前記ステップアップ予告演出が実行されないときに擬似報知を実行する擬似報知手段（例えば演出制御ＣＰＵ１２０がステップＳ１６２において「擬似連」の特定演出やステップアップ予告演出を実行するとき以外に回数報知装置１０、第１回数報知装置１０Ａ、第２回数報知装置１０Ｂを点灯させる演出を実行する部分）をさらに備えるようにしてもよい。これにより、擬似連変動やステップアップ予告演出の報知を多く行うことができ、遊技者の大当りの期待感を増大させることができ、遊技の興趣が向上する。
【手続補正１１】
【補正対象書類名】明細書
【補正対象項目名】００１５
【補正方法】変更
【補正の内容】
【００１５】
上記目的を達成するため、本願の請求項２に記載の遊技機は、始動条件（例えばステップＳ２０１におけるＹｅｓの判定とステップＳ２０２におけるＮｏの判定に基づき、ステップＳ２０３〜Ｓ２０９の処理が実行されたこと、あるいは、ステップＳ２１０におけるＹｅｓの判定とステップＳ２１１におけるＮｏの判定に基づき、ステップＳ２１２〜Ｓ２１８の処理が実行されたこと）が成立した後に開始条件が成立したこと（例えばステップＳ２３１にてＮｏと判定されたこと）に基づいて各々が識別可能な複数種類の識別情報（例えば飾り図柄）の可変表示を行い表示結果を導出表示する複数の可変表示部を有する可変表示装置（例えば画像表示装置５）を備え、前記可変表示装置の前記識別情報の表示結果が予め定められた特定表示結果（例えば大当り組合せの最終停止図柄）となったときに、遊技者にとって有利な特定遊技状態（例えば大当り遊技状態）に制御する遊技機（例えばパチンコ遊技機１）であって、前記始動条件が成立したことに基づいて、前記特定遊技状態に制御するか否かを前記表示結果が導出表示される以前に決定する事前決定手段（例えばＣＰＵ１０３がステップＳ２３８及びＳ２３９の処理、あるいは、ステップＳ２４５及びＳ２４６の処理を実行する部分）と、可変表示の始動条件は成立したが未だ開始条件が成立していない保留数を所定数を限度として記憶する保留記憶手段（例えば、ＣＰＵ１０３がステップＳ２０２、Ｓ２０３、Ｓ２１１、Ｓ２１２の処理を実行する部分）と、前記保留記憶手段が記憶している保留数分の保留表示を行う保留表示手段（例えば画像表示装置５の始動入賞記憶表示エリア５Ｈ）と、前記事前決定手段の決定結果に基づいて、前記可変表示装置における識別情報の可変表示パターンを決定する可変表示パターン決定手段（例えばＣＰＵ１０３がステップＳ２６１〜Ｓ２７６の処理を実行する部分）と、前記識別情報の可変表示と並行して実行可能な複数段階のステップからなるステップアップ予告演出の種別を複数種類から決定するステップアップ予告演出決定手段（例えば演出制御用ＣＰＵ１２０がステップＳ５９３の処理で予告ＣＹ２の予告パターン種別に決定した場合に、ステップＳ５９５、Ｓ５９６の処理を実行する部分）と、前記可変表示パターン決定手段が決定した可変表示パターンに基づいて、前記可変表示装置の識別情報の可変表示を行い表示結果を導出表示させ、また前記ステップアップ予告演出決定手段が決定したステップアップ予告演出を実行させる表示制御手段（例えば演出制御ＣＰＵ１２０がステップＳ１６２の処理を実行する部分）と、を備え、前記ステップアップ予告演出決定手段は、前記事前決定手段により前記特定遊技状態に制御する旨の決定がなされたときに、前記特定遊技状態に制御しない旨の決定がなされたときよりも、ステップ数がより多いステップアップ予告演出に高確率で決定されるように割り振られている決定用データ（例えば予告パターン判定テーブル１７１Ｂ）を用いて前記ステップアップ予告演出の種別を決定し、前記保留記憶手段の記憶内容により所定回数後の可変表示にて特定表示結果が表示される場合に可変表示の実行回数を報知する変動回数報知手段（例えば演出制御ＣＰＵ１２０がステップＳ１６２の処理で回数報知装置１０、第１回数報知装置１０Ａ、第２回数報知装置１０Ｂを点灯させる部分）と、前記ステップアップ予告演出のステップ数を報知するステップ数報知手段（例えば演出制御ＣＰＵ１２０が予告ＣＹＰ２−１〜ＣＹＰ２−６の予告演出制御パターンに基づき回数報知装置１０、第１回数報知装置１０Ａ、第２回数報知装置１０Ｂを点灯させる部分）と、をさらに備える。これにより、ステップアップ予告演出のステップ数だけでなく、特定表示結果が表示される場合に可変表示の実行回数も報知されるので、遊技者はいずれの演出が発生しても期待度の認識が可能となり、遊技の興趣が向上する。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】